(57)【要約】  高齢の女性及び身体に障害をもつ女性による使用に特に適合された水着は、上部巻き部分及び下部パンツ部分を有するワンピース身ごろを備える。上部部分は、第１及び第２のパネル又はフラップを備え、第１及び第２のパネル又はフラップは、互いに重なり合い、また、面ファスナなど容易に固定可能及び解放可能なファスナによって身ごろに固定される、自由端部を備える。
2008542577.tif 000002
【特許請求の範囲】
【請求項１】
巻き水着であって、
後方パネル、第１の前方パネル、及び第２の前方パネルを有する、胴部分を備え、
前記第１の前方パネルが、第１の側部縫目に沿って前記後方パネルに固定され、前記後方パネルに取り付けられた第１の肩ストラップと、第１の締結装置を備える第１の終端部とを有し、
前記第２の前方パネルが、第２の側部縫目に沿って前記後方パネルに固定され、前記後方パネルに取り付けられた第２の肩ストラップと、第２の締結装置を備える第２の終端部分とを有し、
前記水着がさらに、前記後方パネルの一部及び前方パネルを含むパンツ部分を備え、前記後方部分及び前記前方パネルが、脚部開口部を形成し、２つの締結装置が、前記第１及び第２の締結装置を係合させるように配置される、巻き水着。
【請求項２】
請求項１に記載の巻き水着において、前記締結装置が面ファスナである、巻き水着。
【請求項３】
請求項１に記載の巻き水着において、前記第１及び前記第２の前方パネルがほぼ三角形である、巻き水着。
【請求項４】
請求項１に記載の巻き水着において、前記前方パネルが、それぞれの垂直な縫目に沿って、前記後方パネルに接合される、巻き水着。
【請求項５】
請求項１に記載の巻き水着において、前記後方及び前方パネル、並びに前記パンツが、折り曲げられ縫合された縁部を備える、巻き水着。
【請求項６】
請求項１に記載の巻き水着において、前記パネルが多軸伸縮性材料で製作される、巻き水着。
【請求項７】
水着であって、
後方パネル、右前方パネル、及び左前方パネルを有する、上部部分を備え、
前記右前方パネルが、前記後方パネルの右側から延び、正面斜め縁部を有し、前記正面斜め縁部が、一端部にて右肩ストラップを、他端部にて左側ファスナを形成し、
前記左前方パネルが、前記後方パネルの左側から延び、正面斜め縁部を有し、前記正面斜め縁部が、一端部にて左肩ストラップを、他端部にて右側ファスナを形成し、
前記水着がさらに、下部前方パネル及び前記後方パネルの下方部分によって形成された、下部部分を備え、前記下部部分は、前記右及び左側ファスナを前記前方パネル上に係合させるようになされた、離隔された右及び左側ファスナを備える、水着。
【請求項８】
請求項７に記載の水着において、前記ファスナが、面ファスナである、水着。
【請求項９】
請求項７に記載の水着において、前記パネル上の右及び左側ファスナが、面ファスナのフック・ファスナである、水着。
【請求項１０】
請求項７に記載の水着において、前記下方部分上の右及び左側ファスナが、面ファスナのループ・ファスナである、水着。
【請求項１１】
請求項７に記載の水着において、前記第１及び前記第２の前方パネルが、ほぼ三角形である、水着。
【請求項１２】
請求項７に記載の水着において、前記前方パネルが、それぞれの側部の縫目に沿って前記後方パネルに固定される、水着。
【請求項１３】
請求項７に記載の水着において、前記パネルが多軸伸縮性織物である、水着。
【請求項１４】
水着であって、
後方部分、第１の前方部分、及び第２の前方部分を有する、胴を備え、
前記第１の前方部分が、第１の側部に沿って前記後方部分に固定され、前記後方部分に取り付けられた第１の肩ストラップと、第１の固定手段を備える第１の終端部分とを形成し、
前記第２の前方部分が、第２の側部に沿って前記後方部分に固定され、前記後方部分に取り付けられた第２の肩ストラップと、第２の固定手段を備える第２の終端部分とを形成し、
前記水着がさらに、前方部分、及び前記後方部分の下方部分を備え他パンツ部分を備え、前記後方部分の前記下方部分及び前記前方部分が、脚部開口部と、前記第１の固定手段を係合させるために前記パンツ部分の前記前方部分上に配置された第３の固定手段と、前記第２の固定手段と係合させるために前記第２の前方部分上に配置された第４の固定手段とを形成する、水着。
【請求項１５】
請求項１４に記載の水着において、前記固定手段が面ファスナである、水着。
【請求項１６】
請求項１４に記載の水着において、前記第１及び第２の前方部分上の前記固定手段が面ファスナのループ部分である、水着。
【請求項１７】
請求項１４に記載の水着において、前記第１及び前記第２の前方部分がほぼ三角形である、水着。
【請求項１８】
請求項１４に記載の水着において、前記第１及び前記第２の前方部分が、それぞれの垂直の縫目に沿って前記後方部分に固定される、水着。
【請求項１９】
請求項１４に記載の水着において、前記胴及び体幹が多軸伸縮性織物である、水着。
【発明の詳細な説明】
【技術分野】
【０００１】
本発明は、一般に、女性用の水着に関し、特に、高齢の女性及び身体的障害をもつ女性のための、巻き水着に関する。
【背景技術】
【０００２】
長年にわたり、運動及び健康維持のための水泳の利点が認識されてきた。水によってもたらされる、衝撃及びストレスが小さい環境、並びに四肢の運動に対してもたらされる抵抗が一定で比較的小さいことにより、一般に認められる有酸素的な（心臓及び循環系）利点、並びに筋肉強化の利点が得られる。
【０００３】
特に及び主に、高齢者及び身体障害者にとって可能な運動の選択肢の数が限定されていることにより、水泳によって彼らにもたらされる利点は、特に多大なものである。関節炎、パーキンソン病、又は筋ジストロフィーを患う人でも、水中で運動し、健康上の利点を得ることができる。
【０００４】
しかし、そのような活動のより困難な問題の１つは、水泳用衣料すなわち水着の着脱である。実質的にすべての水泳者が知っているように、水着を脱ぐことは、水泳又は運動セッションの終了後に水着が濡れているときに、特に厄介な問題である。
【発明の開示】
【発明が解決しようとする課題】
【０００５】
本発明は、この問題にうまく対処し、単純、魅力的、及び着脱容易な水着を提供する。
【課題を解決するための手段】
【０００６】
高齢の女性及び身体に障害をもつ女性による使用に特に適合された水着は、上部巻き部分及び下部パンツ部分を有するワンピース身ごろを含む。上部部分は、第１及び第２のパネル又はフラップを備え、第１及び第２のパネル又はフラップは、互いに重なり合い、また、面ファスナなど容易に固定可能及び解放可能なファスナによって身ごろに固定される、自由端部を含む。
【０００７】
すなわち、容易に着脱することができる女性水泳者のための水着を提供することが、本発明の一目的である。
【０００８】
濡れているときでも容易に着脱することができる、女性水泳者のための水着を提供することが、本発明のさらなる目的である。
【０００９】
高齢の女性水泳者及び身体に障害をもつ女性水泳者のための水着を提供することが、本発明のさらなる目的である。
【００１０】
面ファスナによって固定される第１及び第２のパネルを有する、巻き水着を提供することが、本発明のさらなる目的である。
【００１１】
本発明のさらなる目的及び利点は、以下の好ましい実施例の説明、及び添付の図面を参照することによって明らかになるであろう。同様の番号は、同様の構成要素、要素、又は特徴を示す。
【実施例】
【００１２】
図１を参照すると、人８上の、本発明による巻き水着が示されており、全体が参照番号１０で指示されている。巻き水着１０は、単一ピース又はワンピースの海水着又は水着として特徴付けることができ、第１の又は上部胴部分２０及び第２の又は下部パンツ部分２０を備える。
【００１３】
次に図１及び図２を参照すると、第１又は上部胴部分２０は、ほぼ垂直の縁部又は縫目２４に沿って一体の後方パネル２６に縫い付けられ又は固定された、ほぼ三角形の右前方パネル２２を備える。右前方パネル又はフラップ２２は、正面対角縁部２８に沿って、着用者の右肩に係合する比較的幅広の右ストラップ３２へと、上向き方向に狭くなる。右ストラップ３２は、着用者の背中の下方へと続き、縫製、縫合、又は別の適当な手段によって、後方パネル２６に固定される。右前方パネル又はフラップ２２はまた、着用者の右腕用の腕又は肩開口部の前方部分を形成する、上部湾曲周縁部３４を形成する。すべての開いた又は露出した縁部は、好ましくは、巻かれ又は折り曲げられて、同色の、補色の、又は、対比色の白色若しくは有色の糸３６を用いて、縫製又は縫合されることが理解されるであろう。
【００１４】
図３を参照すると、右前方パネル又はフラップ２２の下方端部の内面上に、ベロクロなど面ファスナ材料の、垂直方向細長パッド又は領域３８がある。ベロクロは、Ｖｅｌｃｒｏ  Ｉｎｄｕｓｔｒｉｅｓ，Ｂ．Ｖ．社の登録商標である。好ましくは、面ファスナのフック部分は、右前方パネル２２の内側端部上にある。
【００１５】
次に図１及び図３を参照すると、水着１０の第１又は上部胴部分２０はまた、右パネル又はフラップ２２の鏡像である全体構成を有する、左前方パネル又はフラップ４２を備える。左前方パネル又はフラップ４２は、ほぼ三角形であり、ほぼ垂直な縁部又は縫目４４に沿って、一体の後方パネル２６に縫い付けられ、又は固定される。左前方パネル又はフラップ４２は、正面対角縁部４８に沿って、着用者の左肩に係合する比較的幅広の左ストラップ５２へと、上向き方向に狭くなる。左ストラップ５２は、着用者の背中の下方へと続き、縫製、縫合、又は別の適当な手段によって、後方パネル２６に固定される。左前方パネル４２はまた、着用者の左腕用の腕又は肩開口部の前方部分を形成する、上部湾曲周縁部５４を形成する。すべての開いた又は露出した縁部は、好ましくは、巻かれ又は折り曲げられて、同色の、補色の、又は、対比色の白色若しくは有色の糸３６を用いて、縫製又は縫合されることが理解されるであろう。左前方パネル又はフラップ４２の下方端部の内面上に、ベロクロなど面ファスナ材料の、垂直方向細長パッド又は領域５８がある。好ましくは、面ファスナのフック部分は、左前方パネル４２の内側端部上にある。
【００１６】
整形又は美容上の理由で、胸部支持を使用者に提供するために、前方挿入物、弾性カップ、パッドなど（すべて図示せず）を、パネル又はフラップ２２及び４２の内面上の適当な位置にて固定することができることが理解されるであろう。
【００１７】
図４を参照すると、左側の縫目４４に隣接する、左パネル又はフラップ４２の左側外面上に、ベロクロなど面ファスナ材料の、領域又はパッド６２がある。好ましくは、パッド６２は、面ファスナのループ部分である。
【００１８】
次に、図１、図２、図３、及び図４を参照すると、水着１０はまた、前方パネル７２を備える下部又はパンツ部分７０を備える。前方パネル７２は、横断方向の下方縫目７４、並びに右側部縫目２４及び左側部縫目４４に沿って、後方パネル２６の下方部分へと固定される。後方パネル２６の下方部分は、着用者の臀部（図示せず）を覆うように裁断又は構成された、２つの線対称な凸状湾曲周縁部７６を備える。前方パネル７２は、主に快適性のために裁断又は構成された、凹状湾曲周縁部７８を備える。上部又は胴部分２０の前方パネル２２及び４２と同様に、下部又はパンツ部分７０の開いた又は露出した縁部は、巻かれ、又は折り曲げられて、一致する色、対比色、又は補色を有する糸を用いて、縫製又は縫合８２によって固定される。側部縫目２４に隣接する前方パネル７２の右側上に、ベルクロなど面ファスナ材料の、垂直に向けられた細長領域又はパッド８４が固定される。好ましくは、パッド８４は、ループタイプの材料のものである。
【００１９】
巻き水着１０の様々なパネルは、好ましくは、四方向伸縮性のＬｙｃｒａ織物である。Ｌｙｃｒａは、ＩＮＶＩＳＴＡ社の登録商標である。ただし必要に応じて、天然及び合成両方の、別の材料及び織物を使用することができることが理解されるであろう。
【００２０】
使用に際して、水着１０は、容易に着脱することができる。使用者８は、下部又はパンツ部分７０内に足を入れ、後方パネル２６の縁部７６と前方パネル７２の縁部７８とによって形成された開口部内に、左及び右脚を配置する。次いで使用者は、左ストラップ３２及び右ストラップ５２を、そのそれぞれの肩の上に配置する。次に、左パネル又はフラップ４２が、身体の前方を横断して配置され、面ファスナ・パッド５８及び８４が、位置合せされ、係合させられ、互いに固定される。最後に、右パネル又はフラップ２２が、左パネル又はフラップ４２を横断して配置され、面ファスナ・パッド３８及び６２が、位置合せされ、係合され、互いに固定される。
【００２１】
水泳又は運動後に、この単純な手順を逆に行い、水着１０を容易に取り外すことができる。
【００２２】
身体上を摺動して着脱しなければならない水着１０の表面積、すなわち、基本的に上部又は胴部分２０の全体を大幅に減少させることによって、濡れた水着１０を着るために必要な手間、及び特にそれを脱ぐために必要な手間が、大幅に減少することが理解されるであろう。
【００２３】
上記開示は、本発明を実行するために本発明者によって考案された最適なモードである。ただし、修正及び変形を組み込むその装置が、巻き水着の当業者には明らかとなることが自明である。上記開示は、本発明を実施するために本発明者によって企図された最良のモードを表し、本発明を関連分野のいかなる技術者も実行できるようにすることが意図されるので、本発明は、それによって限定されると解釈されるべきではなく、そのような上述の明らかな変形を含むと解釈され、添付の特許請求の範囲の精神及び範囲によってのみ限定されるべきである。
【図面の簡単な説明】
【００２４】
【図１】本発明による巻き水着を着用する、典型的な水泳者を示す前方立面図である。
【図２】本発明による巻き水着を示す後方立面図である。
【図３】第１及び第２のパネルの両方が開いた状態の、本発明による巻き水着を示す前方立面図である。
【図４】一方のパネルが定位置に固定され他方のパネルが開いた状態の、本発明による巻き水着を示す前方立面図である。
【図１】
2008542577.tif 000003
【図２】
2008542577.tif 000004
【図３】
2008542577.tif 000005
【図４】
2008542577.tif 000006
【国際調査報告】
2008542577.tif 000007